(57)【要約】【課題】点灯回路の動作中にランプが外された場合に、点灯回路の出力電圧が上昇するのを防ぐことにより、すぐにランプが再接続された場合でも、ランプに過電圧が印加されてランプや点灯回路が故障したり寿命が短くなったりするのを防ぐことを目的とする。【解決手段】検出部（検出金具）は、ランプ２０が接続位置９４にあることを検出する。接続位置９４にランプ２０があることを検出部が検出した場合に、点灯回路は、ランプ２０を点灯する点灯電力を出力する。給電端子は、ランプ２０が通過位置９２〜接続位置９４にある場合に、ランプの受電端子と接触して電気接続し、点灯回路が出力した点灯電力をランプ２０に対して供給する。【選択図】図１０
2014060091.tif 000002
【特許請求の範囲】
【請求項１】
ランプを接続する接続位置に上記ランプが位置することを検出する検出部と、
上記接続位置に上記ランプが位置することを上記検出部が検出した場合に、上記ランプを点灯する点灯電力を出力する点灯回路と、
上記接続位置、及び、上記ランプを着脱する際に上記ランプが通過する通過位置と上記接続位置との間に上記ランプが位置する場合に、上記ランプの一対の受電端子とそれぞれ接触して電気接続し、上記点灯回路が出力した点灯電力を上記ランプに対して供給する一対の給電端子と
を有することを特徴とする照明装置。
【請求項２】
上記ランプは、
柱形状の被検出柱部を有する被検出端子
を有し、
上記一対の受電端子のうち第一の受電端子は、上記被検出柱部と略平行な略円柱形状の第一受電柱部を有し、
上記一対の受電端子のうち第二の受電端子は、上記被検出柱部と略平行な柱形状の第二受電柱部を有し、
上記照明装置は、
上記ランプの上記第一の受電端子を挿入され、上記第一の受電端子を中心軸とする回転方向に上記ランプを回転可能に保持する第一挿入部と、
上記ランプの上記第二の受電端子を挿入され、上記回転方向に上記ランプを回転させたとき、上記ランプの上記回転方向以外への動きを規制する第二挿入部と、
上記ランプの上記被検出端子を挿入され、上記回転方向に上記ランプを回転させたとき、上記ランプの上記回転方向以外への動きを規制する第三挿入部と
を有し、
上記ランプの上記第一の受電端子を上記第一挿入部に挿入し、上記ランプの上記第二の受電端子を上記第二挿入部に挿入し、上記ランプの上記被検出端子を上記第三挿入部に挿入した位置を挿入位置とし、上記挿入位置から上記ランプを上記回転方向に第一の角度回転させた位置を上記通過位置とし、上記挿入位置から上記ランプを上記回転方向に上記第一の角度より大きい第二の角度回転させた位置を上記接続位置とし、
上記一対の給電端子のうち第一の給電端子は、上記第一挿入部に挿入された上記第一の受電端子と接触して電気接続し、
上記一対の給電端子のうち第二の給電端子は、上記挿入位置から上記ランプを上記回転方向に上記第一の角度より大きい角度回転した場合に、上記第二の受電端子と接触して電気接続し、
上記検出部は、上記挿入位置から上記ランプを上記回転方向に上記第二の角度回転した場合に、上記被検出端子を検出することにより、上記接続位置に上記ランプが位置することを検出する
ことを特徴とする請求項１に記載の照明装置。
【請求項３】
上記被検出端子は、上記第一の受電端子を中心として、上記第二の受電端子の略反対側に位置することを特徴とする請求項２に記載の照明装置。
【請求項４】
上記被検出端子は、導電性であり、
上記検出部は、一対の電極を有し、上記被検出端子が上記一対の電極の双方に接触して、上記一対の電極の間が導通することにより、上記接続位置に上記ランプが位置することを検出する
ことを特徴とする請求項２または請求項３に記載の照明装置。
【請求項５】
上記検出部は、光を受光する受光部を有し、上記受光部が受光する光が上記被検出端子によって遮られることにより、上記接続位置に上記ランプが位置することを検出する
ことを特徴とする請求項２または請求項３に記載の照明装置。
【請求項６】
上記検出部は、上記被検出端子によって押下されるスイッチを有し、上記スイッチが上記被検出端子によって押下されることにより、上記接続位置に上記ランプが位置することを検出する
ことを特徴とする請求項２または請求項３に記載の照明装置。
【請求項７】
上記照明装置は、
上記一対の受電端子のうち少なくともいずれかの受電端子の形状を検出する形状検出部を有し、
上記点灯回路は、上記形状検出部が検出した形状に基づいて、出力する点灯電力を設定する
ことを特徴とする請求項１乃至請求項６のいずれかに記載の照明装置。
【発明の詳細な説明】
【技術分野】
【０００１】
この発明は、ランプを接続して使用する照明装置に関する。
【背景技術】
【０００２】
ＬＥＤなどの光源を内蔵するランプを接続して使用する照明装置がある。そのような照明装置において、ランプに電力を供給する点灯回路には、光源に所定の直流電流を流すため、定電流特性を有するものがある。
ランプを点灯している状態で、ランプが突然外されると、点灯回路の出力電流が０になる。点灯回路が定電流特性を有する場合、出力電流を一定に保つため、出力電圧を高くする。点灯回路は、出力電圧が所定の閾値より高くなると、無負荷と判定して、動作を停止する。
【先行技術文献】
【特許文献】
【０００３】
【特許文献１】特開２０１０−５５８２４号公報
【発明の概要】
【発明が解決しようとする課題】
【０００４】
点灯回路の出力に平滑コンデンサが接続されている場合、点灯回路が動作を停止しても、出力電圧は、すぐには下がらない。この状態で、ランプが再び接続されると、ランプに過電圧が印加されてランプや点灯回路が故障したり、寿命が短くなったりする場合がある。
この発明は、例えば、点灯回路の動作中にランプが外された場合に、点灯回路の出力電圧が上昇するのを防ぐことにより、すぐにランプが再接続された場合でも、ランプに過電圧が印加されてランプや点灯回路が故障したり寿命が短くなったりするのを防ぐことを目的とする。
【課題を解決するための手段】
【０００５】
この発明にかかる照明装置は、ランプを接続する接続位置に上記ランプが位置することを検出する検出部と、上記接続位置に上記ランプが位置することを上記検出部が検出した場合に、上記ランプを点灯する点灯電力を出力する点灯回路と、上記接続位置、及び、上記ランプを着脱する際に上記ランプが通過する通過位置と上記接続位置との間に上記ランプが位置する場合に、上記ランプの一対の受電端子とそれぞれ接触して電気接続し、上記点灯回路が出力した点灯電力を上記ランプに対して供給する一対の給電端子とを有することを特徴とする。
【発明の効果】
【０００６】
この発明にかかる照明装置によれば、点灯回路の動作中にランプが外された場合に、電気的な接続が切れる前に、点灯回路の動作を停止するので、点灯回路の出力電圧が上昇するのを防ぐことができ、すぐにランプが再接続された場合でも、ランプランプに過電圧が印加されてランプや点灯回路が故障したり寿命が短くなったりするのを防ぐことができる。
【図面の簡単な説明】
【０００７】
【図１】実施の形態１における照明装置１０の外観を示す斜視図。
【図２】実施の形態１におけるランプ２０の構造を示す正視図。
【図３】実施の形態１におけるランプ２０の構成を示す図。
【図４】実施の形態１における光源回路２１の構成を示す回路図。
【図５】実施の形態１における光源回路２１の構成の別の例を示す回路図。
【図６】実施の形態１における照明装置１０の構造を示す正視図及び端面図。
【図７】実施の形態１における照明装置１０の構成を示す図。
【図８】実施の形態１における点灯回路１４の構成を示す回路図。
【図９】実施の形態１における点灯回路１４の構成の別の例を示す回路図。
【図１０】実施の形態１における照明装置１０にランプ２０を付け外す様子を示す図。
【図１１】実施の形態２におけるランプ２０の構造を示す正視図。
【図１２】実施の形態２における照明装置１０の構造を示す正視図及び端面図。
【図１３】実施の形態３における照明装置１０の構造を示す正視図及び端面図。
【図１４】実施の形態３における照明装置１０の構成を示す回路図。
【図１５】実施の形態４における照明装置１０の構造を示す正視図及び端面図。
【図１６】実施の形態４における照明装置１０の構成を示す回路図。
【図１７】実施の形態５におけるランプ２０’の構造を示す側面図。
【図１８】実施の形態５における照明装置１０の構造を示す正視図及び端面図。
【図１９】実施の形態５における照明装置１０にランプを取り付けた様子を示す図。
【図２０】実施の形態５における直流直流変換回路４５の構成を示す回路図。
【図２１】実施の形態６におけるランプ２０の構造を示す正視図。
【図２２】実施の形態６における照明装置１０の構造を示す正視図及び端面図。
【図２３】実施の形態６における照明装置１０の構成を示す回路図。
【発明を実施するための形態】
【０００８】
実施の形態１．
実施の形態１について、図１〜図１０を用いて説明する。
【０００９】
図１は、この実施の形態における照明装置１０の外観を示す斜視図である。
【００１０】
照明装置１０（給電装置）は、着脱自在なランプ２０を接続して使用される。ランプ２０は、一または複数の光源２１１を有する。光源２１１は、例えば、ＬＥＤなど直流電力で点灯する発光素子（固体発光素子）である。照明装置１０は、ランプ２０に対して電力（点灯電力）を供給する。点灯電力は、例えば、直流電力である。ランプ２０は、照明装置１０から供給された点灯電力により光源２１１を点灯する。
【００１１】
図２は、この実施の形態におけるランプ２０の構造を示す正視図である。
【００１２】
ランプ２０（光源部）は、例えば、ランプケース２２と、２つの受電端子２３，２４（接続部）と、被検出端子２５（接続部）とを有する。ランプケース２２（光源外囲器）は、例えば、略円柱形状である。ランプケース２２の一方の底面には、光源２１１が配置されている。ランプケース２２のもう一方の底面には、２つの受電端子２３，２４と、被検出端子２５とが配置されている。受電端子２３は、ランプケース２２のほぼ中央に配置されている。受電端子２４は、受電端子２３から所定の距離離れた位置に配置されている。被検出端子２５は、受電端子２３から見て、受電端子２４のほぼ反対側に位置する。受電端子２３と被検出端子２５との間の距離は、２つの受電端子２３，２４の間の距離と異なる。
【００１３】
受電端子２３（第一の受電端子）は、金属など導電性の材料により形成されている。受電端子２３は、例えば、受電柱部２３１と、受電先端部２３２とを有する。受電柱部２３１（第一受電柱部）は、略円柱形状である。受電柱部２３１は、ランプケース２２の底面に対して略垂直に突出して設けられている。受電先端部２３２（第一受電先端部）は、略円錐台形状である。受電先端部２３２は、受電柱部２３１の先端に設けられている。
受電端子２４（第二の受電端子）は、金属など導電性の材料により形成されている。受電端子２４は、例えば、受電柱部２４１と、受電先端部２４２とを有する。受電柱部２４１（第二受電柱部）は、略円柱形状である。受電柱部２４１は、ランプケース２２の底面に対して略垂直に突出して設けられている。受電先端部２４２（第二受電先端部）は、略円板形状である。受電先端部２４２は、受電柱部２４１の先端に設けられている。受電先端部２４２の径は、受電柱部２４１の径よりも大きい。
被検出端子２５は、金属など導電性の材料により形成されている。被検出端子２５は、例えば、被検出柱部２５１と、被検出先端部２５２とを有する。被検出柱部２５１は、略円柱形状である。被検出柱部２５１は、ランプケース２２の底面に対して略垂直に突出して設けられている。被検出先端部２５２は、略円板形状である。被検出先端部２５２は、被検出柱部２５１の先端に設けられている。被検出先端部２５２の径は、被検出柱部２５１の径よりも大きい。
受電柱部２３１の軸と、受電柱部２４１の軸と、被検出柱部２５１の軸とは、互いにほぼ平行である。
【００１４】
図３は、この実施の形態におけるランプ２０の構成を示す図である。
【００１５】
ランプ２０は、例えば、光源回路２１を有する。光源回路２１は、ランプケース２２に内蔵されている。光源回路２１は、照明装置１０から供給される電力により光源２１１を点灯するための回路である。
２つの受電端子２３，２４は、光源回路２１に電気接続している。これに対し、被検出端子２５は、光源回路２１に電気接続していない。
【００１６】
図４は、この実施の形態における光源回路２１の構成を示す回路図である。
【００１７】
光源回路２１は、例えば、２つの端子２１３，２１４を有する。端子２１３は、受電端子２３と電気接続している端子である。端子２１３は、例えば、複数の光源２１１を直列に電気接続した回路の低電位側に電気接続している。端子２１４は、受電端子２４と電気接続している端子である。端子２１４は、例えば、複数の光源２１１を直列に電気接続した回路の高電位側に電気接続している。
【００１８】
図５は、この実施の形態における光源回路２１の構成の別の例を示す回路図である。
【００１９】
この例における光源回路２１は、図４で説明した構成に加えて、更に、検出抵抗２１２を有する。検出抵抗２１２（接続検出抵抗）は、２つの端子２１３，２１４の間に電気接続している。検出抵抗２１２は、ランプ２０が接続されていることを照明装置１０が検出するためのものである。
【００２０】
図６は、この実施の形態における照明装置１０の構造を示す正視図及び端面図である。
【００２１】
照明装置１０（ソケット部）は、例えば、装置ケース１１と、２つの給電金具１５１，１６１と、２つの検出金具１７１，１７２とを有する。
装置ケース１１（ソケット外囲器）は、例えば、中空略円柱形状である。装置ケース１１の一方の底面には、３つの挿入部１１１〜１１３が設けられている。
挿入部１１１（第一挿入部、ソケット）は、装置ケース１１の底面を貫通する貫通穴を有する。挿入部１１１の貫通穴は、例えば、略円形状である。挿入部１１１の貫通穴は、装置ケースの底面のほぼ中央に配置されている。挿入部１１１の貫通穴の径は、受電端子２３の受電柱部２３１の径よりやや大きい。挿入部１１１の貫通穴には、受電端子２３を挿入することができる。
【００２２】
挿入部１１２（第二挿入部、ソケット）は、例えば、端子挿通部１２１と、端子規制部１２２とを有する。
端子挿通部１２１は、装置ケース１１の底面を貫通する貫通穴を有する。端子挿通部１２１の貫通穴は、例えば、略円形状である。端子挿通部１２１の貫通穴は、挿入部１１１の貫通穴から所定の距離離れた位置に設けられている。端子挿通部１２１の貫通穴と、挿入部１１１の貫通穴との間の距離は、２つの受電端子２３，２４の間の距離とほぼ等しい。端子挿通部１２１の貫通穴の径は、受電端子２４の受電先端部２４２の径よりやや大きい。端子挿通部１２１の貫通穴には、受電端子２４を挿入することができる。
端子規制部１２２は、装置ケース１１の底面を貫通する貫通穴を有する。端子規制部１２２の貫通穴は、例えば、円弧形状である。端子規制部１２２の貫通穴の円弧の中心は、挿入部１１１の貫通穴の中心とほぼ等しく、半径は、２つの受電端子２３，２４の間の距離とほぼ等しい。また、端子規制部１２２の貫通穴の幅は、受電端子２４の受電柱部２４１の直径よりやや大きく、受電先端部２４２の直径より小さい。端子規制部１２２の貫通穴は、一方の端が端子挿通部１２１の貫通穴に繋がっている。
【００２３】
挿入部１１３（第三挿入部、ソケット）は、例えば、端子挿通部１３１と、端子規制部１３２とを有する。
端子挿通部１３１は、装置ケース１１の底面を貫通する貫通穴を有する。端子挿通部１３１の貫通穴は、例えば、略円形状である。端子挿通部１３１の貫通穴は、挿入部１１１の貫通穴から所定の距離離れた位置に設けられている。端子挿通部１３１の貫通穴と、挿入部１１１の貫通穴との間の距離は、受電端子２３と被検出端子２５との間の距離とほぼ等しい。端子挿通部１３１の貫通穴は、挿入部１１１の貫通穴から見て、端子挿通部１２１の貫通穴のほぼ反対側に位置する。端子挿通部１３１の貫通穴の径は、被検出端子２５の被検出先端部２５２の径よりやや大きい。端子挿通部１３１の貫通穴には、被検出端子２５を挿入することができる。
端子規制部１３２は、装置ケース１１の底面を貫通する貫通穴を有する。端子規制部１３２の貫通穴は、例えば、円弧形状である。端子規制部１３２の貫通穴の円弧の中心は、挿入部１１１の貫通穴の中心とほぼ等しく、半径は、受電端子２３と被検出端子２５との間の距離とほぼ等しい。端子規制部１３２の貫通穴の円弧の中心角は、端子規制部１２２の貫通穴の円弧の中心角とほぼ等しい。また、端子規制部１３２の貫通穴の幅は、被検出端子２５の被検出柱部２５１の直径よりやや大きく、被検出先端部２５２の直径より小さい。端子規制部１３２の貫通穴は、一方の端が端子挿通部１３１の貫通穴に繋がっている。
【００２４】
挿入部１１１と、端子挿通部１２１と、端子挿通部１３１との間の位置関係は、受電端子２３と、受電端子２４と、被検出端子２５との間の位置関係とほぼ等しい。このため、挿入部１１１の貫通穴に受電端子２３を挿入すると同時に、端子挿通部１２１の貫通穴に受電端子２４を挿入し、端子挿通部１３１の貫通穴に被検出端子２５を挿入することができる。このとき、挿入部１１１は、受電端子２３と係合し、受電端子２３を中心軸とする方向（回転方向）にランプ２０を回転可能に保持する。なお、２つの受電端子２３，２４の間の距離と、受電端子２３と被検出端子２５との間の距離とが異なるので、端子挿通部１３１の貫通穴に受電端子２４を挿入し、端子挿通部１２１の貫通穴に被検出端子２５を挿入することはできない。
挿入部１１１の貫通穴に受電端子２３を挿入し、端子挿通部１２１の貫通穴に受電端子２４を挿入し、端子挿通部１３１の貫通穴に被検出端子２５を挿入した状態でランプ２０を回転させると、受電端子２４は、端子規制部１２２と係合し、被検出端子２５は、端子規制部１３２と係合する。ランプ２０は、依然として回転方向に回転可能であるが、それ以外の方向への動きは、規制される。例えば、受電端子２３の軸と平行な方向へランプ２０を動かそうとすると、端子規制部１２２に受電端子２４の受電先端部２４２が当たり、端子規制部１３２に被検出端子２５の被検出先端部２５２が当たるので、受電端子２３の軸と平行な方向へランプ２０を動かすことはできない。照明装置１０からランプ２０を外すには、ランプ２０を回転させて、受電端子２４を端子挿通部１２１の位置に合わせ、被検出端子２５を端子挿通部１３１の位置に合わせる必要がある。そうすれば、端子挿通部１２１の貫通穴を受電先端部２４２が通り、端子挿通部１３１の貫通穴を被検出先端部２５２が通るので、受電端子２３の軸と平行な方向へランプ２０を動かすことができ、照明装置１０からランプ２０を外すことができる。
【００２５】
給電金具１５１（第一の給電端子）は、装置ケース１１のなかに配置されている。給電金具１５１は、例えば、板バネなど弾性と導電性とを有する材料によって形成されている。給電金具１５１の位置は、挿入部１１１に対応している。給電金具１５１は、挿入部１１１に挿入された受電端子２３と接触して、受電端子２３と電気接続する。
給電金具１６１（第二の給電端子）は、装置ケース１１のなかに配置されている。給電金具１６１は、例えば、板バネなど弾性と導電性とを有する材料によって形成されている。給電金具１６１の位置は、挿入部１１２の端子規制部１２２の途中から、端子挿通部１２１とは反対側の端までの部分の端子規制部１２２に対応している。給電金具１６１は、挿入部１１２に挿入された受電端子２４と接触して、受電端子２４と電気接続する。ただし、給電金具１６１と受電端子２４とが接触するのは、端子挿通部１２１に受電端子２４を挿入した状態から、ランプ２０を所定の角度以上回転させた場合のみである。端子挿通部１２１に受電端子２４を挿入したままランプ２０を回転させていない場合や、回転させてもその回転角度が小さい場合は、給電金具１６１は、受電端子２４と接触せず、受電端子２４と電気接続しない。
【００２６】
検出金具１７１，１７２（検出部、スイッチ部）は、装置ケース１１のなかに配置されている。検出金具１７１，１７２は、例えば、板バネなど弾性と導電性とを有する材料によって形成されている。検出金具１７１，１７２の位置は、挿入部１１３の端子規制部１３２の途中から、端子挿通部１３１とは反対側の端までの部分の端子規制部１３２に対応している。検出金具１７１，１７２は、挿入部１１３に挿入された被検出端子２５と接触して、被検出端子２５と電気接続する。ただし、検出金具１７１，１７２と被検出端子２５とが接触するのは、端子挿通部１３１に被検出端子２５を挿入した状態から、ランプ２０を所定の角度以上回転させた場合のみである。端子挿通部１３１に被検出端子２５を挿入したままランプ２０を回転させていない場合や、回転させてもその回転角度が小さい場合は、検出金具１７１，１７２は、被検出端子２５と接触せず、被検出端子２５と電気接続しない。
検出金具１７１と検出金具１７２とは、分離していて、電気的に絶縁している。被検出端子２５が２つの検出金具１７１，１７２と接触して電気接続することにより、２つの検出金具１７１，１７２の間が電気接続する。
また、検出金具１７１，１７２と被検出端子２５とを接触させるためにランプ２０を回転させなければならない角度は、給電金具１６１と受電端子２４とを接触させるためにランプ２０を回転させなければならない角度よりも大きい。
【００２７】
図７は、この実施の形態における照明装置１０の構成を示す図である。
【００２８】
照明装置１０は、例えば、点灯回路１４を有する。点灯回路１４は、装置ケース１１に内蔵されている。点灯回路１４は、外部電源や内部電源などから供給される電力を、ランプ２０の光源２１１を点灯するための点灯電力に変換し、変換した点灯電力を出力する。外部電源や内部電源は、例えば、商用電源などの交流電源や、太陽光発電システムや蓄電池などの直流電源などである。点灯回路１４は、例えば、出力する点灯電力の電流値が所定の目標値になるよう、出力する点灯電力の電圧値を調整する。
２つの給電金具１５１，１６１及び２つの検出金具１７１，１７２は、点灯回路１４に電気接続している。給電金具１５１，１６１は、点灯回路１４が点灯電力を出力する端子に電気接続している。点灯回路１４は、２つの検出金具１７１，１７２の間が電気接続している場合のみ動作し、点灯電力を出力する。２つの検出金具１７１，１７２の間が電気接続していない場合、点灯回路１４は、動作せず、点灯電力を出力しない。
【００２９】
図８は、この実施の形態における点灯回路１４の構成を示す回路図である。
【００３０】
点灯回路１４は、例えば、６つの端子４１１〜４１６と、入力回路４３と、制御電源回路４４と、直流直流変換回路４５とを有する。
端子４１１，４１２は、外部電源から交流電力を入力するための端子である。
端子４１３，４１４は、点灯電力を出力するための端子である。低電位側の端子４１３は、給電金具１５１に電気接続している。高電位側の端子４１４は、給電金具１６１に電気接続している。
端子４１５，４１６は、２つの検出金具１７１，１７２の間が電気接続しているか否かの情報を入力するための端子である。端子４１５は、検出金具１７２に電気接続している。端子４１６は、検出金具１７１に電気接続している。
【００３１】
入力回路４３（直流生成部）は、外部電源から入力した交流電力を脈流に変換する。入力回路４３は、例えば、整流回路４３１と、コンデンサ４３２とを有する。整流回路４３１は、例えば、４つの整流素子をブリッジ接続したダイオードブリッジである。コンデンサ４３２は、整流回路４３１の出力間に電気接続している。
直流直流変換回路４５は、入力回路４３が変換した脈流を点灯電力に変換する。直流直流変換回路４５は、例えば、バックコンバータ回路などのスイッチング電源回路である。直流直流変換回路４５は、例えば、制御回路４５１と、スイッチング素子４５２（トランジスタ）と、整流素子４５３（ダイオード）と、チョークコイル４５４と、平滑コンデンサ４５５とを有する。制御回路４５１は、スイッチング素子４５２のオンオフを繰り返すことにより、平滑コンデンサ４５５を充電する。
制御電源回路４４は、制御回路４５１を動作させるための電力（制御電源電力）を出力する。制御電源回路４４は、例えば、入力回路４３が変換した脈流を直流に変換する。
【００３２】
制御電源回路４４が制御電源電力を出力する出力端子は、端子４１５に電気接続している。制御回路４５１が制御電源電力を入力する電源端子は、端子４１６に電気接続している。
２つの検出金具１７１，１７２の間が電気接続している場合、制御電源回路４４が出力した制御電源電力が制御回路４５１に供給される。これにより、直流直流変換回路４５が動作し、点灯回路１４は、点灯電力を出力する。
２つの検出金具１７１，１７２の間が電気接続していない場合、制御電源回路４４が出力した制御電源電力は、制御回路４５１に供給されない。これにより、直流直流変換回路４５は動作せず、点灯回路１４は、点灯電力を出力しない。
【００３３】
図９は、この実施の形態における点灯回路１４の構成の別の例を示す回路図である。
【００３４】
点灯回路１４は、例えば、６つの端子４１１〜４１６と、入力回路４３と、制御電源回路４４と、直流直流変換回路４５とを有する。端子４１１〜４１６、入力回路４３及び制御電源回路４４は、図８の例と同様である。直流直流変換回路４５は、図８の例と同様のバックコンバータ回路であるが、スイッチング素子４５２の配置が図８の例と異なる。
【００３５】
図１０は、この実施の形態における照明装置１０にランプ２０を付け外す様子を示す図である。
【００３６】
なお、細部の符号は、煩雑を避けるため省略しているので、図２、図６などを参照されたい。
【００３７】
まず、照明装置１０にランプ２０を取り付ける場合について説明する。
【００３８】
最初に、ランプ２０の受電端子２３，２４及び被検出端子２５が挿入位置９１に来る角度にランプ２０を持ち、受電端子２３，２４及び被検出端子２５を、照明装置１０の挿入部１１１及び端子挿通部１２１，１３１に挿入する。このとき、受電端子２３は、給電金具１５１に接触して電気接続する。しかし、受電端子２４は、給電金具１６１に接触せず、電気接続しない。また、被検出端子２５は、検出金具１７１，１７２に接触せず、電気接続しない。
【００３９】
次に、受電端子２３の軸を中心としてランプ２０を回転させる。ランプ２０の角度にかかわらず、受電端子２３は、給電金具１５１に接触して電気接続した状態を保つ。
受電端子２４及び被検出端子２５が通過位置９２に達すると、受電端子２４が給電金具１６１に接触して電気接続する。しかし、被検出端子２５は、まだ検出金具１７１，１７２に接触せず、電気接続しない。
ランプ２０を更に回転させても、受電端子２４は、給電金具１６１に接触して電気接続した状態を保つ。また、受電端子２３は、給電金具１５１に接触して電気接続した状態を保つ。
受電端子２４及び被検出端子２５が検出位置９３に達すると、被検出端子２５は、検出金具１７１，１７２に接触して電気接続する。これにより、２つの検出金具１７１，１７２の間が電気接続する。
ランプ２０を更に回転させて、受電端子２４及び被検出端子２５が接続位置９４に達すると、ランプ２０は、固定される。
【００４０】
このように、照明装置１０にランプ２０を取り付ける場合、最初に、受電端子２３と給電金具１５１とが接触し、次に、受電端子２４と給電金具１６１とが接触し、最後に、被検出端子２５と検出金具１７１，１７２とが接触する。
最初に、受電端子２３と給電金具１５１とが接触することにより、点灯回路１４の低電位側出力と、光源回路２１の低電位側入力とが電気接続する。
次に、受電端子２４と給電金具１６１とが接触することにより、点灯回路１４の高電位側出力と、光源回路２１の高電位側入力とが電気接続する。このときには、まだ、被検出端子２５と検出金具１７１，１７２とが接触していないので、点灯回路１４は、動作していない。このため、点灯回路１４の出力電圧は低い。
最後に、被検出端子２５と検出金具１７１，１７２とが接触して、点灯回路１４が動作を開始する。すなわち、点灯回路１４の出力に、負荷である光源回路２１が確実に接続されたのちに、点灯回路１４が動作を開始する。
【００４１】
次に、照明装置１０からランプ２０を取り外す場合について説明する。
【００４２】
最初、ランプ２０の受電端子２３，２４及び被検出端子２５は、接続位置９４にある。このとき、受電端子２３は、給電金具１５１に接触して電気接続している。受電端子２４は、給電金具１６１に接触して電気接続している。また、被検出端子２５は、検出金具１７１，１７２に接触して電気接続している。点灯回路１４が動作中であれば、点灯回路１４の出力電圧は、出力電流の値が所定の目標値に一致する電圧に調整されている。
【００４３】
次に、受電端子２３の軸を中心として、取付けの場合とは反対の方向にランプ２０を回転させる。
受電端子２４及び被検出端子２５が検出位置９３を過ぎると、被検出端子２５は、検出金具１７１，１７２に接触しなくなる。
ランプ２０を更に回転させて、受電端子２４及び被検出端子２５が通過位置９２を過ぎると、受電端子２４は、給電金具１６１に接触しなくなる。
ランプ２０を更に回転させて、受電端子２４及び被検出端子２５が挿入位置９１に達すると、ランプ２０を引き抜くことができるようになる。
【００４４】
このように、照明装置１０からランプ２０を取り外す場合、最初に、被検出端子２５と検出金具１７１，１７２との接触が解除され、次に、受電端子２４と給電金具１６１との接触が解除され、最後に、受電端子２３と給電金具１５１との接触が解除される。
最初に、被検出端子２５と検出金具１７１，１７２との接触が解除されて、点灯回路１４が動作を停止する。すなわち、点灯回路１４の出力に、負荷である光源回路２１が接続されている状態で、点灯回路１４が動作を停止する。
次に、受電端子２４と給電金具１６１との接触が解除されることにより、点灯回路１４の高電位側出力と、光源回路２１の高電位側入力とが絶縁される。このときには、既に、点灯回路１４は、動作を停止している。
最後に、受電端子２３と給電金具１５１との接触が解除されることにより、点灯回路１４の低電位側出力と、光源回路２１の低電位側入力とが絶縁される。
【００４５】
出力電流の値が所定の目標値になるよう、点灯回路１４が出力電圧を調整している場合において、点灯回路１４の動作中に突然ランプ２０が外されると、点灯回路１４の出力電流が０になる。点灯回路１４は、出力電流を大きくするため、出力電圧を高くする場合がある。光源回路２１が接続されていないので、点灯回路１４が出力電圧をいくら高くしても、出力電流は大きくならない。点灯回路１４は、例えば、出力電圧の値が所定の閾値を超えると、これ以上出力電圧を高くしても無駄であると判定して、動作を停止する。
点灯回路１４の出力には、平滑コンデンサ４５５が接続されているので、点灯回路１４が動作を停止しても、点灯回路１４の出力電圧は、すぐには低くならない。点灯回路１４の出力電圧が十分低くなる前にランプ２０が再接続されると、光源回路２１に過電圧が印加され、大電流が流れる場合がある。これにより、光源回路２１や点灯回路１４がストレスを受け、故障が発生したり、寿命が短くなる場合がある。
【００４６】
これに対し、この実施の形態における照明装置１０では、最初に、点灯回路１４が動作を停止し、その後、点灯回路１４と光源回路２１との間の電気接続が解除される。したがって、点灯回路１４の出力電流が０になっても、点灯回路１４の出力電圧が高くなることはない。このため、すぐにランプ２０が再接続されても、光源回路２１に過電圧が印加されることはない。これにより、故障の発生や寿命の短縮を防ぐことができる。
【００４７】
また、受電端子２３，２４と、被検出端子２５とのなかで、最も電位が低い受電端子２３を中心とし、最も電位が高い受電端子２４の反対側に、中間の電位を有する被検出端子２５を配置することにより、絶縁性能を高め、ノイズを低減することができる。
【００４８】
実施の形態２．
実施の形態２について、図１１〜図１２を用いて説明する。
なお、実施の形態１と共通する部分については、同一の符号を付し、説明を省略する。
【００４９】
図１１は、この実施の形態におけるランプ２０の構造を示す正視図である。
【００５０】
ランプ２０は、ランプケース２２と、２つの受電端子２３，２４と、被検出端子２５とを有する。ランプケース２２は、実施の形態１と同様である。受電端子２３，２４及び被検出端子２５は、配置が実施の形態１と異なるが、それ以外の点は、実施の形態１と同様である。
【００５１】
受電端子２３は、ランプケース２２のほぼ中央に配置されている。受電端子２３と受電端子２４との間の距離は、受電端子２３と被検出端子２５との間の距離とほぼ等しい。被検出端子２５は、受電端子２３から見て、受電端子２４のちょうど反対側から外れた位置に配置されている。
【００５２】
図１２は、この実施の形態における照明装置１０の構造を示す正視図及び端面図である。
【００５３】
照明装置１０は、装置ケース１１と、２つの給電金具１５１，１６１と、２つの検出金具１７１，１７２とを有する。装置ケース１１は、３つの挿入部１１１〜１１３を有する。
ランプ２０の受電端子２３，２４及び被検出端子２５の配置が実施の形態１と異なるのに対応して、挿入部１１１〜１１３、給電金具１５１，１６１及び検出金具１７１，１７２の配置が実施の形態１と異なっている。それ以外の点は、実施の形態１と同様である。
【００５４】
挿入部１１１と、端子挿通部１２１と、端子挿通部１３１との間の位置関係は、受電端子２３と、受電端子２４と、被検出端子２５との間の位置関係とほぼ等しい。このため、挿入部１１１の貫通穴に受電端子２３を挿入すると同時に、端子挿通部１２１の貫通穴に受電端子２４を挿入し、端子挿通部１３１の貫通穴に被検出端子２５を挿入することができる。なお、被検出端子２５が、受電端子２３から見て、受電端子２４のちょうど反対側から外れた位置に配置されているので、端子挿通部１３１の貫通穴に受電端子２４を挿入し、端子挿通部１２１の貫通穴に被検出端子２５を挿入することはできない。
【００５５】
このように、受電端子２３と受電端子２４との間の距離と、受電端子２３と被検出端子２５との間の距離とがほぼ等しい場合でも、被検出端子２５を、受電端子２３から見て、受電端子２４のちょうど反対側から外れた位置に配置することにより、間違って、端子挿通部１３１の貫通穴に受電端子２４を挿入し、端子挿通部１２１の貫通穴に被検出端子２５を挿入するのを防ぐことができる。
【００５６】
実施の形態３．
実施の形態３について、図１３〜図１４を用いて説明する。
なお、実施の形態１または実施の形態２と共通する部分については、同一の符号を付し、説明を省略する。
【００５７】
ランプ２０は、実施の形態１と同様なので、説明を省略する。ただし、被検出端子２５は、導電性である必要はない。
【００５８】
図１３は、この実施の形態における照明装置１０の構造を示す正視図及び端面図である。
【００５９】
照明装置１０は、装置ケース１１と、２つの給電金具１５１，１６１と、フォトインタラプタ１７３とを有する。装置ケース１１及び給電金具１５１，１６１は、実施の形態１と同様なので、説明を省略する。
フォトインタラプタ１７３（検出部、光学的検出装置）は、実施の形態１における検出金具１７１，１７２の代わりとして、ランプ２０が接続位置にあることを検出する。フォトインタラプタ１７３は、発光ダイオード１７４と、フォトトランジスタ１７５とを有する。発光ダイオード１７４（光センサ発光部）とフォトトランジスタ１７５（光センサ受光部）とは、対向して配置されている。フォトトランジスタ１７５は、発光ダイオード１７４が発した光を受光する。ランプ２０が接続位置にある場合、発光ダイオード１７４が発した光を被検出端子２５が遮り、フォトトランジスタ１７５は、発光ダイオード１７４が発した光を受光しない。
【００６０】
図１４は、この実施の形態における照明装置１０の構成を示す回路図である。
【００６１】
照明装置１０は、点灯回路１４を有する。点灯回路１４は、入力回路４３と、制御電源回路４４と、直流直流変換回路４５と、スイッチ回路４７とを有する。入力回路４３、制御電源回路４４及び直流直流変換回路４５は、実施の形態１と同様なので、説明を省略する。
スイッチ回路４７は、抵抗４７１，４７２と、スイッチング素子４７３とを有する。
抵抗４７１は、発光ダイオード１７４と直列に電気接続している。抵抗４７１と発光ダイオード１７４との直列回路は、制御電源回路４４の出力に電気接続している。
抵抗４７２は、フォトトランジスタ１７５と直列に電気接続している。抵抗４７２とフォトトランジスタ１７５との直列回路は、制御電源回路４４の出力に、抵抗４７１と発光ダイオード１７４との直列回路と並列に電気接続している。
スイッチング素子４７３は、制御電源回路４４が制御電源電力を出力する出力端子と、直流直流変換回路４５の制御回路４５１が制御電源電力を入力する電源端子との間に電気接続している。スイッチング素子４７３は、フォトトランジスタ１７５の両端電圧の値が所定の閾値より大きくなるとオンになる。スイッチング素子４７３は、例えば、ＰＮＰ型バイポーラトランジスタである。
【００６２】
制御電源回路４４が動作して制御電源電力を出力すると、発光ダイオード１７４が発光する。ランプ２０が接続位置にない場合、発光ダイオード１７４が発した光は遮られず、フォトトランジスタ１７５に達する。フォトトランジスタ１７５がオンになるので、フォトトランジスタ１７５の両端電圧は低くなり、スイッチング素子４７３は、オフになる。このため、制御電源電力は、直流直流変換回路４５の制御回路４５１に供給されず、直流直流変換回路４５は動作せず、点灯回路１４は、点灯電力を出力しない。
ランプ２０が接続位置にある場合、発光ダイオード１７４が発した光は遮られ、フォトトランジスタ１７５に達しない。フォトトランジスタ１７５がオフになるので、フォトトランジスタ１７５の両端電圧は高くなり、スイッチング素子４７３は、オンになる。このため、制御電源電力は、直流直流変換回路４５の制御回路４５１に供給され、直流直流変換回路４５が動作し、点灯回路１４は、点灯電力を出力する。
【００６３】
このように、発光ダイオード１７４が発する光を、被検出端子２５が遮ったことを検出することにより、ランプ２０が接続位置にあることを検出する構成とすれば、被検出端子２５を導電性の材料で形成する必要がない。これにより、被検出端子２５を、例えば樹脂などランプケース２２と同じ材料を用いて、ランプケース２２と一体に形成することができるので、ランプ２０の製造コストを抑えることができる。
【００６４】
実施の形態４．
実施の形態４について、図１５〜図１６を用いて説明する。
なお、実施の形態１〜実施の形態３と共通する部分については、同一の符号を付し、説明を省略する。
【００６５】
ランプ２０は、実施の形態１と同様なので、説明を省略する。ただし、被検出端子２５は、実施の形態３と同様、導電性である必要はない。
【００６６】
図１５は、この実施の形態における照明装置１０の構造を示す正視図及び端面図である。
【００６７】
照明装置１０は、装置ケース１１と、２つの給電金具１５１，１６１と、触れ感応スイッチ１７６とを有する。装置ケース１１及び給電金具１５１，１６１は、実施の形態１と同様なので、説明を省略する。
触れ感応スイッチ１７６（検出部）は、実施の形態１における検出金具１７１，１７２や実施の形態３におけるフォトインタラプタ１７３の代わりとして、ランプ２０が接続位置にあることを検出する。触れ感応スイッチ１７６は、接触部１７７（スイッチ操作部）を有する。触れ感応スイッチ１７６は、接触部１７７に何かが接触するとオンになる。ランプ２０が接続位置にある場合、被検出端子２５が接触部１７７に接触し、触れ感応スイッチ１７６がオンになる。
【００６８】
図１６は、この実施の形態における照明装置１０の構成を示す回路図である。
【００６９】
照明装置１０は、点灯回路１４を有する。点灯回路１４は、入力回路４３と、制御電源回路４４と、直流直流変換回路４５とを有する。入力回路４３、制御電源回路４４及び直流直流変換回路４５は、実施の形態１と同様なので、説明を省略する。
【００７０】
触れ感応スイッチ１７６は、制御電源回路４４が制御電源電力を出力する出力端子と、直流直流変換回路４５の制御回路４５１が制御電源電力を入力する電源端子との間に電気接続している。
ランプ２０が接続位置にない場合、触れ感応スイッチ１７６は、オフになる。このため、制御電源電力は、直流直流変換回路４５の制御回路４５１に供給されず、直流直流変換回路４５は動作せず、点灯回路１４は、点灯電力を出力しない。
ランプ２０が接続位置にある場合、触れ感応スイッチ１７６は、オンになる。このため、制御電源電力は、直流直流変換回路４５の制御回路４５１に供給され、直流直流変換回路４５が動作し、点灯回路１４は、点灯電力を出力する。
【００７１】
このように、触れ感応スイッチ１７６に被検出端子２５が接触したことを検出することにより、ランプ２０が接続位置にあることを検出する構成とすれば、実施の形態３と同様、被検出端子２５を導電性の材料で形成する必要がない。これにより、被検出端子２５を、例えば樹脂などランプケース２２と同じ材料を用いて、ランプケース２２と一体に形成することができるので、ランプ２０の製造コストを抑えることができる。
【００７２】
実施の形態５．
実施の形態５について、図１７〜図２０を用いて説明する。
なお、実施の形態１〜実施の形態４と共通する部分については、同一の符号を付し、説明を省略する。
【００７３】
この実施の形態における照明装置１０は、複数の種類のランプ２０，２０’を接続できる。ランプ２０は、実施の形態１におけるランプ２０と同様なので、説明を省略する。
【００７４】
ランプ２０’は、ランプ２０と電気的特性が異なる。例えば、ランプ２０’は、光源２１１の定格電流がランプ２０と異なるため、入力電流の値がランプ２０と異なる。あるいは、ランプ２０’は、光源２１１の数がランプ２０と異なるため、入力電圧の値がランプ２０と異なる。
【００７５】
図１７は、この実施の形態におけるランプ２０’の構造を示す側面図である。
【００７６】
ランプ２０’は、ランプケース２２と、２つの受電端子２３，２４と、被検出端子２５とを有する。ランプケース２２、受電端子２４及び被検出端子２５は、ランプ２０と同様なので、説明を省略する。
受電端子２３は、受電柱部２３１の長さがランプ２０よりも長い。それ以外の点は、ランプ２０と同様である。
【００７７】
図１８は、この実施の形態における照明装置１０の構造を示す正視図及び端面図である。
【００７８】
照明装置１０は、例えば、装置ケース１１と、２つの給電金具１５１，１６１と、２つの検出金具１７１，１７２と、触れ感応スイッチ１８６とを有する。装置ケース１１、給電金具１５１，１６１及び検出金具１７１，１７２は、実施の形態１と同様なので、説明を省略する。
触れ感応スイッチ１８６は、装置ケース１１のなかに配置されている。触れ感応スイッチ１８６は、挿入部１１１の貫通穴のほぼ正面に配置されている。触れ感応スイッチ１８６は、接触部１８７を有する。触れ感応スイッチ１８６は、接触部１８７に何かが接触するとオンになる。
【００７９】
図１９は、この実施の形態における照明装置１０にランプを取り付けた様子を示す図である。
【００８０】
なお、細部の符号は、煩雑を避けるため省略しているので、図１７、図１８などを参照されたい。
【００８１】
照明装置１０にランプ２０’を取り付けた場合、受電端子２３の受電先端部２３２が、触れ感応スイッチ１８６の接触部１８７に接触する。これにより、触れ感応スイッチ１８６はオンになる。
【００８２】
ランプ２０は、ランプ２０’と比べて、受電端子２３が短いので、照明装置１０にランプ２０を取り付けた場合、受電端子２３の受電先端部２３２は、触れ感応スイッチ１８６の接触部１８７に接触しない。したがって、触れ感応スイッチ１８６はオフになる。
【００８３】
図２０は、この実施の形態における直流直流変換回路４５の構成を示す回路図である。
【００８４】
直流直流変換回路４５は、例えば、制御回路４５１と、スイッチング素子４５２と、整流素子４５３と、チョークコイル４５４と、平滑コンデンサ４５５と、電流検出回路４８とを有する。スイッチング素子４５２、整流素子４５３、チョークコイル４５４及び平滑コンデンサ４５５は、実施の形態１と同様なので、説明を省略する。
電流検出回路４８は、直流直流変換回路４５の出力電流の値を検出する。電流検出回路４８は、例えば、直流直流変換回路４５の入力電流に比例する電圧（以下「電流検出電圧」と呼ぶ。）を生成する。制御回路４５１は、例えば、電流検出回路４８が生成した電流検出電圧を所定の閾値と比較することにより、直流直流変換回路４５の出力電流の値が目標値より大きいか小さいかを判定し、判定した結果に基づいて、スイッチング素子４５２を制御する。
電流検出回路４８は、例えば、２つの抵抗４８１，４８２を有する。抵抗４８２は、触れ感応スイッチ１８６と直列に電気接続している。抵抗４８１は、抵抗４８２と触れ感応スイッチ１８６との直列回路と並列に電気接続している。
【００８５】
触れ感応スイッチ１８６がオフの場合、電流検出回路４８は、抵抗４８１の抵抗値を比例定数として電流検出電圧を生成する。これに対し、触れ感応スイッチ１８６がオンの場合、電流検出回路４８は、２つの抵抗４８１，４８２の並列回路の合成抵抗値を比例定数として電流検出電圧を生成する。したがって、直流直流変換回路４５の出力電流が同じであれば、触れ感応スイッチ１８６がオフの場合よりも、触れ感応スイッチ１８６がオンの場合のほうが、電流検出電圧は小さくなる。
したがって、制御回路４５１は、触れ感応スイッチ１８６がオフの場合よりも、触れ感応スイッチ１８６がオンの場合のほうが、直流直流変換回路４５の出力電流を大きくするよう動作する。
すなわち、照明装置１０がランプ２０’に対して出力する出力電流は、ランプ２０に対して出力する出力電流よりも、大きくなる。
【００８６】
このように、異なる種類のランプ２０，２０’において、受電端子２３の形状を異なる形状とする。照明装置１０は、受電端子２３の形状を検出することにより、ランプの種類を検出する。照明装置１０は、検出した種類に応じて、例えば、出力電流の目標値を設定する。
【００８７】
なお、ランプの種類によって入力電圧が異なる場合、制御回路４５１は、例えば、検出した種類に応じて、出力電圧が異常であると判定する閾値を設定する。
【００８８】
また、受電端子２３が触れ感応スイッチ１８６に接触することにより、受電端子２３の形状を物理的に検出するのではなく、他の構成により、受電端子２３の形状を検出する構成であってもよい。例えば、実施の形態１のように、検出金具を使って電気的に検出する構成であってもよいし、実施の形態３のように、フォトインタラプタを使って光学的に検出する構成であってもよい。
【００８９】
また、ランプの種類によって受電端子２３の形状を変えるのではなく、受電端子２４の形状を変える構成であってもよいし、被検出端子２５の形状を変える構成であってもよい。あるいは、受電端子２３，２４及び被検出端子２５の配置を変える構成であってもよい。
【００９０】
実施の形態６．
実施の形態６について、図２１〜図２３を用いて説明する。
なお、実施の形態１〜実施の形態５と共通する部分については、同一の符号を付し、説明を省略する。
【００９１】
この実施の形態では、受電端子２４が被検出端子２５としての役割を兼ねる構成について説明する。
【００９２】
図２１は、この実施の形態におけるランプ２０の構造を示す正視図である。
【００９３】
ランプ２０は、ランプケース２２と、２つの受電端子２３，２４とを有する。ランプケース２２及び受電端子２３，２４は、実施の形態１と同様なので、説明を省略する。ランプ２０は、実施の形態１で説明した被検出端子２５を有さない。
【００９４】
図２２は、この実施の形態における照明装置１０の構造を示す正視図及び端面図である。
【００９５】
照明装置１０は、例えば、装置ケース１１と、２つの給電金具１５１，１６１と、検出金具１７１とを有する。給電金具１５１は、実施の形態１と同様なので、説明を省略する。
装置ケース１１は、例えば、２つの挿入部１１１，１１２を有する。挿入部１１１，１１２は、実施の形態１と同様なので、説明を省略する。装置ケース１１は、実施の形態１で説明した挿入部１１３を有さない。
検出金具１７１は、実施の形態１で説明した給電金具１６１の一部を切り離したものである。給電金具１６１は、実施の形態１で説明した給電金具１６１から検出金具１７１を切り離した残りの部分である。
給電金具１６１は、ランプ２０が通過位置から接続位置までの間にある場合に、受電端子２４と接触し、受電端子２４と電気接続する。検出金具１７１は、ランプ２０が接続位置にある場合に、受電端子２４と接触し、受電端子２４と電気接続することにより、受電端子２４を介して、給電金具１６１と電気接続する。ランプ２０が接続位置以外にある場合、給電金具１６１と検出金具１７１との間は、絶縁している。
【００９６】
図２３は、この実施の形態における照明装置１０の構成を示す回路図である。
【００９７】
照明装置１０は、例えば、点灯回路１４を有する。点灯回路１４は、入力回路４３と、制御電源回路４４と、直流直流変換回路４５と、スイッチ回路４７とを有する。入力回路４３、制御電源回路４４及び直流直流変換回路４５は、実施の形態１と同様なので、説明を省略する。
スイッチ回路４７は、抵抗４７１，４７２と、スイッチング素子４７３と、フォトカプラ４７６とを有する。フォトカプラ４７６は、発光ダイオード４７４と、フォトトランジスタ４７５とを有する。
抵抗４７１は、発光ダイオード４７４と直列に電気接続している。抵抗４７１と発光ダイオード１７４との直列回路は、入力回路４３の出力と検出金具１７１との間に電気接続している。
抵抗４７２は、フォトトランジスタ４７５と直列に電気接続している。抵抗４７２とフォトトランジスタ４７５との直列回路は、制御電源回路４４の出力に電気接続している。
スイッチング素子４７３は、制御電源回路４４が制御電源電力を出力する出力端子と、直流直流変換回路４５の制御回路４５１が制御電源電力を入力する電源端子との間に電気接続している。スイッチング素子４７３は、抵抗４７２の両端電圧の値が所定の閾値より大きくなるとオンになる。スイッチング素子４７３は、例えば、ＰＮＰ型バイポーラトランジスタである。
【００９８】
この例において、直流直流変換回路４５は、例えばバックコンバータ回路など降圧型かつ被絶縁型の回路であるものとする。すなわち、直流直流変換回路４５が動作中であっても停止中であっても、直流直流変換回路４５の高電位側入力端子の電位は、高電位側出力端子の電位よりも高い。
【００９９】
ランプ２０が接続位置にある場合、受電端子２４を介して、給電金具１６１と検出金具１７１とが電気接続する。これにより、発光ダイオード４７４が発光し、フォトトランジスタ４７５がオンになる。抵抗４７２を電流が流れ、スイッチング素子４７３がオンになる。このため、制御電源電力は、直流直流変換回路４５の制御回路４５１に供給され、直流直流変換回路４５が動作し、点灯回路１４は、点灯電力を出力する。
ランプ２０が接続位置にない場合、給電金具１６１と検出金具１７１とは、絶縁している。発光ダイオード４７４が発光しないので、フォトトランジスタ４７５はオフになり、スイッチング素子４７３は、オフになる。このため、制御電源電力は、直流直流変換回路４５の制御回路４５１に供給されず、直流直流変換回路４５は動作せず、点灯回路１４は、点灯電力を出力しない。
【０１００】
このように、照明装置１０は、受電端子２４の位置を検出することにより、ランプ２０が接続位置にあることを検出する。すなわち、この実施の形態における受電端子２４は、実施の形態１における被検出端子２５としての役割を兼ねるものである。
【０１０１】
なお、受電端子２４が給電金具１６１と検出金具１７１とを電気接続することにより、受電端子２４の位置を電気的に検出するのではなく、他の構成により、受電端子２４の位置を検出する構成であってもよい。例えば、実施の形態３のように、フォトインタラプタを使って光学的に検出する構成であってもよいし、実施の形態４のように、触れ感応スイッチを使って物理的に検出する構成であってもよい。
【０１０２】
また、この例では、受電端子２３が中央にあるため、ランプ２０が挿入位置にあるときも接続位置にあるときも、受電端子２３の位置は変わらないが、中央でない位置に受電端子２３を配置する構成であってもよい。その場合、ランプ２０の位置によって受電端子２３の位置が変わるので、照明装置１０は、受電端子２３の位置を検出することにより、ランプ２０が接続位置にあることを検出する構成であってよい。
【０１０３】
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
【０１０４】
例えば、点灯回路１４の具体的な構成は、上記説明した構成に限らず、他の構成であってもよい。点灯回路１４は、例えば、入力回路４３と直流直流変換回路４５との間に、力率改善機能を備える力率改善回路を有する構成であってもよい。また、直流直流変換回路４５は、ブーストコンバータ回路など昇圧機能を備えるものであってもよいし、フライバックコンバータ回路など一次側と二次側とを絶縁する機能を備えるものであってもよい。更にいえば、直流直流変換回路４５は、スイッチング電源回路でなくてもよい。
また、点灯回路１４は、負荷である光源回路２１に一定の電流を流す定電流機能を備えるものとして説明したが、動作中に突然負荷が外されることにより何らかの異常を来たす可能性がある点灯回路１４であれば、定電流機能を備えない点灯回路１４にも、適用できる。
【０１０５】
また、光源回路２１の具体的な構成は、上記説明した構成に限らず、他の構成であってもよい。光源回路２１は、例えば、複数の光源２１１を直列に接続した直列回路を複数並列に接続した回路を有する構成であってもよい。また、光源回路２１は、複数の光源２１１を並列に接続した並列回路を複数直列に接続した回路を有する構成であってもよい。
【０１０６】
また、受電端子２３，２４や被検出端子２５は、上記説明した形状や配置に限らず、他の形状や配置であってもよい。例えば、受電先端部２４２や被検出先端部２５２は、略円板形状ではなく、長円形状や角形状などであってもよい。また、受電先端部２４２の形状と、被検出先端部２５２の形状とが異なっていてもよい。受電先端部２４２の形状と、被検出先端部２５２の形状とが異なることにより、間違って、端子挿通部１３１の貫通穴に受電端子２４を挿入し、端子挿通部１２１の貫通穴に被検出端子２５を挿入するのを防ぐことができる。
【符号の説明】
【０１０７】
１０  照明装置、１１  装置ケース、１１１〜１１３  挿入部、１２１，１３１  端子挿通部、１２２，１３２  端子規制部、１４  点灯回路、１５１，１６１  給電金具、１７１，１７２  検出金具、１７３  フォトインタラプタ、１７４，４７４  発光ダイオード、１７５，４７５  フォトトランジスタ、１７６，１８６  触れ感応スイッチ、１７７，１８７  接触部、２０  ランプ、２１  光源回路、２１１  光源、２１２  検出抵抗、２１３，２１４，４１１〜４１６  端子、２２  ランプケース、２３，２４  受電端子、２３１，２４１  受電柱部、２３２，２４２  受電先端部、２５  被検出端子、２５１  被検出柱部、２５２  被検出先端部、４３  入力回路、４３１  整流回路、４３２  コンデンサ、４４  制御電源回路、４５  直流直流変換回路、４５１  制御回路、４５２，４７３  スイッチング素子、４５３  整流素子、４５４  チョークコイル、４５５  平滑コンデンサ、４７  スイッチ回路、４７１，４７２，４８１，４８２  抵抗、４７６  フォトカプラ、４８  電流検出回路、９１  挿入位置、９２  通過位置、９３  検出位置、９４  接続位置。
【図１】
2014060091.tif 000003
【図２】
2014060091.tif 000004
【図３】
2014060091.tif 000005
【図４】
2014060091.tif 000006
【図５】
2014060091.tif 000007
【図６】
2014060091.tif 000008
【図７】
2014060091.tif 000009
【図８】
2014060091.tif 000010
【図９】
2014060091.tif 000011
【図１０】
2014060091.tif 000012
【図１１】
2014060091.tif 000013
【図１２】
2014060091.tif 000014
【図１３】
2014060091.tif 000015
【図１４】
2014060091.tif 000016
【図１５】
2014060091.tif 000017
【図１６】
2014060091.tif 000018
【図１７】
2014060091.tif 000019
【図１８】
2014060091.tif 000020
【図１９】
2014060091.tif 000021
【図２０】
2014060091.tif 000022
【図２１】
2014060091.tif 000023
【図２２】
2014060091.tif 000024
【図２３】
2014060091.tif 000025